(57)【要約】【課題】薄型化が可能で、コイルの巻線作業性及び組立作業性の向上を図ることができる薄型コイル巻装部品を提供することにある。【解決手段】コイル２０が巻装されるコイル巻装部１３を有する第１のコア１１と、第１のコア１１の両端部と結合されるとともに、下面に上方に向かって嵌合溝２１を有した端子台１４と、端子台に設けられコイルと接続される接続端子１８と、第１のコアのコイル巻装部を取り囲む上部開口の周壁部２３を有し、両端部に前記端子台の嵌合溝に嵌合される突堤２５を有する第２のコア２２とを具備したことを特徴とする。【選択図】    図１
2004342910.tif 000002
【特許請求の範囲】
【請求項１】
コイルが巻装されるコイル巻装部を有する第１のコアと、
前記第１のコアの両端部と結合されるとともに、下面に上方に向かって嵌合溝を有した端子台と、
前記端子台に設けられ前記コイルと接続される接続端子と、
前記第１のコアのコイル巻装部を取り囲む上部開口の周壁部を有し、両端部に前記端子台の嵌合溝に嵌合される突堤を有する第２のコアと、
を具備したことを特徴とする薄型コイル巻装部品。
【請求項２】
前記端子台は、互いに対向する内側面に嵌合穴を有し、前記第１のコアの両端部が嵌合接続されることを特徴とする請求項１に記載の薄型コイル巻装部品。
【請求項３】
前記第１のコアは、コイル巻装部にコイルを巻装した後にその両端部が前記端子台の嵌合穴に嵌合接続されることを特徴とする請求項２に記載の薄型コイル巻装部品。
【発明の詳細な説明】
【０００１】
【発明の属する技術分野】
この発明は、例えば、カメラ等の光学機器や小型電子機器等に使用されるトランス、トリガーコイル等の薄型コイル巻装部品に関する。
【０００２】
【従来の技術】
カメラ等の光学機器や小型電子機器等に使用される小型トランスは、光学機器、小型電子機器の限られた狭いスペースに格納されるために、小型化、薄型化が要求されている。
【０００３】
そこで、前述のような要求を満足するために、トランスやトリガーコイル等のコイル巻装部品の薄型化を図る提案がなされている。（例えば、特許文献１〜５参照。）。
【０００４】
特許文献１は、コイルが巻回される巻線部の両側に端子装着部を有したボビンと、前記巻線部の内側に配設される第１のコアと、前記巻線部の外周を取り囲むように設けた第２のコアとを備えている。そして、ボビンの巻線部と端子装着部との間に形成されている隙間に第２のコアの辺が嵌入され、さらに、第２のコアに形成されている切欠きに、第１のコアの端部と、前記端子装着部と巻線部とを連結する連結部が嵌入されることにより、第２のコアがボビンの所定位置に装着されるようになっている。
【０００５】
特許文献２は、コイルの巻線部を有するボビンを上部開口の外枠部分に収納し、この外枠部分の上部開口を中足部分によって閉塞し、外枠部分と中足部分とによって閉磁路コアを形成したものである。
【０００６】
特許文献３，４は、巻線部を有するボビンに端子埋設部を設け、このボビンの内部にコアを挿入するとともに、ボビンの外周に外枠形状のコアを嵌合して磁路を形成したものである。
【０００７】
特許文献５は、ボビンに主体コアを組付け、その巻線部にコイルを巻装した後、主体コアの両端部に設けられた分路コア部の一側面を共通に板状の外コアによって連結したものである。
【０００８】
【特許文献１】
特許第２８７４７０７号公報
【０００９】
【特許文献２】
特開平７−２２０９４５号公報
【００１０】
【特許文献３】
特許第３３６８８２６号公報
【００１１】
【特許文献４】
特開２０００−２７７３４０号公報
【００１２】
【特許文献５】
特公平５−１７６８７号公報
【００１３】
【発明が解決しようとする課題】
しかしながら、前述の特許文献１〜５は、いずれもコイルを巻回する巻線部の両端部に鍔部を有するボビンを備えており、ボビンの高さ寸法とコアの高さ寸法をプラスした寸法がコイル巻装部品の高さとなっているため薄型化に限度がある。
【００１４】
この発明は、前記事情に着目してなされたもので、その目的とするところは、薄型化が図れるとともに、コイルの巻線作業性及び組立作業性の向上を図ることができる薄型コイル巻装部品を提供することにある。
【００１５】
【課題を解決するための手段】
この発明は、前記目的を解決するために、請求項１は、コイルが巻装されるコイル巻装部を有する第１のコアと、前記第１のコアの両端部と結合されるとともに、下面に上方に向かって嵌合溝を有した端子台と、前記端子台に設けられ前記コイルと接続される接続端子と、前記第１のコアのコイル巻装部を取り囲む上部開口の周壁部を有し、両端部に前記端子台の嵌合溝に嵌合される突堤を有する第２のコアとを具備したことを特徴とする薄型コイル巻装部品にある。
【００１６】
請求項２は、請求項１の前記端子台は、互いに対向する内側面に嵌合穴を有し、前記第１のコアの両端部が嵌合接続されることを特徴とする。
【００１７】
請求項３は、請求項２の前記第１のコアは、コイル巻装部にコイルを巻装した後にその両端部が前記端子台の嵌合穴に嵌合接続されることを特徴とする。
【００１８】
このように端子台の下面に設けられた嵌合溝と第２のコアの突堤とが嵌合し、第２のコアの切欠部がコア装着部と嵌合する構造であるため、コイル巻装部品の高さ寸法を短縮でき、薄型のコイル巻装部品を提供できる。また、第１のコアと第２のコアとの間からの磁束の漏れを防ぎ、大きなインダクタンスが得られる。しかも、第２のコアによってコイルが完全な閉磁路となり、周囲の電子部品に影響を及ぼすことがない。
【００１９】
【発明の実施の形態】
以下、この発明の実施の形態を図面に基づいて説明する。
【００２０】
図１及び図２は第１の実施形態を示し、図１は薄型コイル巻装部品としてのトランスの分解斜視図、図２は同トランスの分解側面図である。図１及び図２に示すように、第１のコア１１は、例えばマンガン系のフエライト材のように電気絶縁性の低い材料で形成され、両端部には挿入部１２が、中間部にはコイルが巻装される扁平矩形状のコイル巻装部１３が設けられている。
【００２１】
１４は左右一対の同一構造の端子台であり、この端子台１４はコア装着部１５と、このコア装着部１５と一体に設けられた端子装着部１６とから構成されている。コア装着部１５の互いに対向する内側面には嵌合穴１７が設けられ、この嵌合穴１７には第１のコア１１の挿入部１２が挿入された状態で接着剤によって接着されている。
【００２２】
さらに、端子装着部１６の上面には複数の接続端子１８が上方へ突出して設けられている。さらに、コア装着部１５の上面には接続端子１８の間隔に対応してリード線案内溝１９が設けられている。そして、第１のコア１１のコイル巻装部１３に巻装されたコイル２０の端末２０ａがリード線案内溝１９に沿って案内され、接続端子１８に絡げた状態で半田付けされている。さらに、端子台１４の下面には上方に向かって嵌合溝２１が設けられ、この嵌合溝２１はコア装着部１５の全長に亘って設けられている。
【００２３】
また、２２は第２のコアであって、第１のコア１１と同様に、例えばマンガン系のフエライト材のように電気絶縁性の低い材料で形成されている。第２のコア２２は、前記コイル２０を含むコイル巻装部１３の下部及び周囲を取り囲む周壁部２３を有し、上部に開口部２４が設けられている。さらに、第２のコア２２の長手方向の両端部には端子台１４の嵌合溝２１と嵌合する突堤２５が設けられ、この突堤２５の上部にはコア装着部１５と嵌合する切欠部２６が設けられている。従って、第１のコア１１のコイル２０を含むコイル巻装部１３の下部及び周囲は第２のコア２２によって取り囲まれている。
【００２４】
このように端子台１４の下面に設けられた嵌合溝２１と第２のコア２２の突堤２５とが嵌合し、第２のコア２２の切欠部２６がコア装着部１５と嵌合するボビンレス構造であるため、トランスの高さ寸法を短縮でき、薄型トランスを提供できる。また、第１のコア１１と第２のコア２２との間からの磁束の漏れを防ぎ、大きなインダクタンスが得られる。しかも、第２のコア２２によってコイル２０が完全な閉磁路となり、周囲の電子部品に影響を及ぼすことがない。
【００２５】
また、第１のコア１１が端子台１４と別体構造で、第１のコア１１の挿入部１２を端子台１４の嵌合穴１７に嵌合固定する構造であるため、第１のコア１１のコイル巻装部１３に巻線機によってコイル２０を巻装した後、第１のコア１１の挿入部１２を端子台１４の嵌合穴１７に嵌合固定することができる。従って、コイルの巻線作業性及び組立作業性の向上を図ることができるる。
【００２６】
なお、前記実施形態においては、第１のコア１１と端子台１４を別体構造で、第１のコア１１の挿入部１２を端子台１４の嵌合穴１７に嵌合固定する構造としたが、第１のコア１１と端子台１４を一体構造としてもよい。
【００２７】
また、前記実施形態においては、トランスについて説明したが、トリガーコイルでもよく、薄型コイル巻装部品であれば採用できる。また、コア主体をマンガン系のフエライト材のように電気絶縁性の低い材料で形成したが、コア主体の材料は限定されるものではない。
【００２８】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【００２９】
【発明の効果】
以上説明したように、この発明によれば、コイル巻装部を有する第１のコアを有し、端子台の下面に設けられた嵌合溝と第２のコアの突堤とが嵌合し、第２のコアの切欠部がコア装着部と嵌合するボビンレス構造であるため、コイル巻装部品の高さ寸法を短縮でき、薄型化を図ることができる。また、コイルの巻線作業性及び組立作業性の向上を図ることができるという効果がある。
【図面の簡単な説明】
【図１】この発明の第１の実施形態を示すトランスの分解斜視図。
【図２】同実施形態のトランスの分解側面図。
【符号の説明】
１１…第１のコア、１３…コイル巻装部、１４…端子台、１７…嵌合穴、１８…接続端子、２０…コイル、２１…嵌合溝、２２…第２のコア、２３…周壁部、２５…突堤
【図１】
2004342910.tif 000003
【図２】
2004342910.tif 000004